(57)【要約】      （修正有）【課題】商品販売時の展示用、使用時の取出、使用後の後かたづけの容易さを考慮したジグソーパズル用収納具を提供する。【解決手段】着脱可能に接合されたほぼ同形状の２個の板状体２、３によって形成された取手手段と、取手手段に固定される袋体１１によって構成されたジグソーパズル１５の収納具であって、板状体は、長手方向の略中央付近に設けた把持部となる長孔状の開口と、他方の板状体と着脱可能に嵌合するための嵌合手段と、袋体の開口部付近の側面を取り付ける取付け領域を有しており、袋体は、２枚のシートの重ね合わせによって、上端に開口部を有するように容器としての空間を形成したほぼ矩形の容器体であり、袋体の開口部付近の側面を板状体の取付け領域に取り付けた。【選択図】図１
0003130317.tif 000002
【実用新案登録請求の範囲】
【請求項１】
着脱可能に接合されたほぼ同形状の２個の板状体によって形成された取手手段と、当該取手手段に固定される袋体によって構成されたジグソーパズルの収納具であって、
前記板状体は、長手方向の略中央付近に設けた把持部となる長孔状の開口と、他方の板状体と着脱可能に嵌合するための嵌合手段と、前記袋体の開口部付近の側面を取り付ける取付け領域を有しており、
前記袋体は、２枚のシートの重ね合わせによって、上端に開口部を有するように容器としての空間を形成したほぼ矩形の容器体であり、当該袋体の開口部付近の側面を前記板状体の取付け領域に取り付けたことを特徴とするジグソーパズル用収納具。
【請求項２】
前記袋体の開口部には、当該開口部を開閉可能に塞ぐジッパー手段が形成されていることを特徴とする請求項１記載のジグソーパズル用収納具。
【請求項３】
前記板状体の嵌合手段が、一方の板状体に形成された円形孔と、他方の板状体に形成された円柱であることを特徴とする請求項１または２記載のジグソーパズル用収納具。
【請求項４】
前記板状体の全長は、前記袋体の開口となる上端縁の全長とほぼ同じ長さに形成されており、
前記袋体は、上端縁付近の両端部の所定領域を除いた部分において前記板状体の取付け領域に接着されていることを特徴とする請求項１乃至３のいずれか一項記載のジグソーパズル用収納具。
【請求項５】
前記板状体の全長は、前記袋体の開口となる上端縁の全長よりも長く形成されており、
前記袋体は、上端縁付近の両端部の所定領域を除いた部分において前記板状体の取付け領域に接着されていることを特徴とする請求項１乃至３のいずれか一項記載のジグソーパズル用収納具。
【請求項６】
前記板状体の全長は、前記袋体の開口となる上端縁の全長よりも短く形成されており、
前記袋体は、上端縁付近の全縁に亘って前記板状体の取付け領域に接着されていることを特徴とする請求項１乃至３のいずれか一項記載のジグソーパズル用収納具。
【請求項７】
前記取手手段を構成する板状体同士の接合部には、当該接合の解除を目的とした爪やコイン等を差し込むことができる開口が形成されていることを特徴とする請求項１乃至６のいずれか一項記載のジグソーパズル用収納具。
【考案の詳細な説明】
【技術分野】
【０００１】
本考案は、ジグソーパズルの収納具に関するものである。
【背景技術】
【０００２】
従来、ジグソーパズル用の容器として、ジグソーパズルの包装容器をそのまま展示用の額として使用できるようにした包装容器兼展示盤が知られている（特許文献１）。
当該包装容器兼展示盤は、周縁部を残して夫々深さの異なる凹面をもつ表面板と裏面板を形成することにより、その凹面を互いに向かい合わせにして重ねると、その内側には両者の凹面の深さを加え合した容積の所要の商品収容空間を形成することができ、これを商品の包装容器として供することができるというものである。
【特許文献１】特開昭６２−２７１８６５号公報
【考案の開示】
【考案が解決しようとする課題】
【０００３】
しかし、上記特許文献１記載の包装容器兼展示盤は、完成したジグソーパズルを展示するには適しているが、出し入れを繰り返すことを想定していないので、同じ図柄を何度も完成させる知育的なジグソーパズルの収容容器としての使用には不向きである。すなわち、出し入れを繰り返すジグソーパズルの収容容器には適していないものである。
本願考案は、上記課題に鑑み考案されたものであって、商品販売時の展示用、使用時の取出、使用後の後かたづけの容易さを考慮したジグソーパズル用収納具を提供することを課題とする。
【課題を解決するための手段】
【０００４】
上記課題を解決するために、本願請求項１記載の考案は下記の構成を有する。すなわち、
着脱可能に接合されたほぼ同形状の２個の板状体によって形成された取手手段と、当該取手手段に固定される袋体によって構成されたジグソーパズルの収納具であって、
前記板状体は、長手方向の略中央付近に設けた把持部となる長孔状の開口と、他方の板状体と着脱可能に嵌合するための嵌合手段と、前記袋体の開口部付近の側面を取り付ける取付け領域を有しており、
前記袋体は、２枚のシートの重ね合わせによって、上端に開口部を有するように容器としての空間を形成したほぼ矩形の容器体であり、当該袋体の開口部付近の側面を前記板状体の取付け領域に取り付けたことを特徴とするジグソーパズル用収納具。
【０００５】
また、本願考案は下記の構成を有する。すなわち、
前記袋体の開口部には、当該開口部を開閉可能に塞ぐジッパー手段が形成されていることを特徴とする請求項１記載のジグソーパズル用収納具。
【０００６】
また、本願考案は下記の構成を有する。すなわち、
前記板状体の嵌合手段が、一方の板状体に形成された円形孔と、他方の板状体に形成された円柱であることを特徴とする請求項１または２記載のジグソーパズル用収納具。
【０００７】
前記板状体の全長は、前記袋体の開口となる上端縁の全長とほぼ同じ長さに形成されており、
前記袋体は、上端縁付近の両端部の所定領域を除いた部分において前記板状体の取付け領域に接着されていることを特徴とする請求項１乃至３のいずれか一項記載のジグソーパズル用収納具。
【０００８】
また、本願考案は下記の構成を有する。すなわち、
前記板状体の全長は、前記袋体の開口となる上端縁の全長よりも長く形成されており、前記袋体は、上端縁付近の両端部の所定領域を除いた部分において前記板状体の取付け領域に接着されていることを特徴とする請求項１乃至３のいずれか一項記載のジグソーパズル用収納具。
【０００９】
また、本願考案は下記の構成を有する。すなわち、
前記板状体の全長は、前記袋体の開口となる上端縁の全長よりも短く形成されており、
前記袋体は、上端縁付近の全縁に亘って前記板状体の取付け領域に接着されていることを特徴とする請求項１乃至３のいずれか一項記載のジグソーパズル用収納具。
【００１０】
また、本願考案は下記の構成を有する。すなわち、
前記取手手段を構成する板状体同士の接合部には、当該接合の解除を目的とした爪やコイン等を差し込むことができる開口が形成されていることを特徴とする請求項１乃至６のいずれか一項記載のジグソーパズル用収納具。
【考案の効果】
【００１１】
本願発明に係る収納具１は、幼児にも簡単に取り扱うことがでる。すなわち、床面あるいは机上に載置した状態で取手２あるいは取手３の一方を持ち上げると、収納部となる袋がジグソーパズルが出し入れできる程度の形状で開口するようになっている。
また、袋の開口部にはジッパーが設けられているので、パズル片の脱落および袋内へのゴミ、ホコリの侵入を防止することができるようになっている。特に、商品販売前の展示状態においてはゴミ、ホコリの侵入を防止することができるので、収容したジグソーパズルの品質を保持することができるという効果がある。
【考案を実施するための最良の形態】
【００１２】
以下、本願考案の一実施の形態を図を用いて説明する。
図１は、本願考案に係るジグソーパズル用の収納具（以下「収納具」という）を構成する各手段の外観図である。主な構成として、収納具１は取手を構成する２個の板状体２、３と、収納物品である図３に示したジグソーパズル１５を収納する容器体となる透明な袋１１によって構成されている。
板状体２および板状体３は、ともに１〜３ｍｍ程度の肉厚の細長の板状体であり、合成樹脂によって形成されている。板状体２、３の外形は、長手方向の一辺（下端）が全長に亘って直線状に形成され、横にした状態で左右両端から上端に亘る部分が中央部を最高地点としてなだらかな湾曲を成すように形成されている。
板状体２、３の中央付近には、当該板状体２、３を重ね会わせた際に位置および形状が一致する開口４、５が設けられている。開口４、５は、重ね合わせた板状体２、３を手指によって把持するために設けられたものである。また、開口４、５の上縁中央には、Ｖ字状の溝６、７が形成されている。当該溝６、７は、重ね合わせた板状体２、３を、物品展示用のハンガーフック等に掛けて収納具１を傾けることなく吊下げるためのものである。
【００１３】
板状体２の表面（板状体３と対向しない面）の左右両側の平面部には、０．５ｍｍ程度の深さの凹部８が設けられている。当該凹部８は、商品名や絵柄、写真等を掲載した粘着シールを貼り付けるためのスペースとなっている。なお、図示していないが、取手３の表面にも同様の凹部が形成されている。
また、板状体２の下端部領域を除いた部分には、全長に亘ってほぼ均等な配置となるように、表裏貫通する円形の孔９が４箇所設けられている。当該孔９と対応するように、取手３の裏面（板状体２と対向する面）には、円柱１０が設けられている。当該円柱１０は、前記孔９と適度な摩擦力によって嵌合し、板状体２と板状体３を接離可能としている。
各板状体２、３の対向面の中央上部には、それぞれ凹部１９が設けられている。当該凹部１９は、板状体２、３が互いに接合した際に、爪やコイン等を差し込むことができる程度の細幅の開口（差込口）２０を上縁部に形成するようになっている。当該差込口２０は、互いに接合した板状体２、３を引き離す際に使用する部位となっている。
【００１４】
板状体２の裏面（板状体３と対向する面）の下端領域と板状体３の裏面（板状体２と対向する面）の下端領域には、袋１１の開口部付近の側面が接着されるようになっている。
袋１１は、２枚のシートの重ね合わせによって、容器としての空間を形成したほぼ上端に開口部を有する矩形の容器体であり、上記のように袋体の開口部付近の各側面が前記板状体の下端領域（取付け領域）に夫々接着されるようになっている。
袋１１は、矩形の外形形状を有する透明体として形成されており、開口部付近に当該開口部を開閉可能に塞ぐジッパー１２が形成されたものである。当該ジッパー１２と開口端までの間隔は、大凡１０〜２０ｍｍであり、当該１０〜２０ｍｍの幅部分が前記板状体の取付け領域に対する接着領域１３となっている。
また、袋１１の上端（開口部）の長さは、板状体２および板状体３の全長とほぼ一致している。考案を実施するための一つの形態として、開口部付近の左右両端に近い所定長さの領域は接着剤が塗布されない無接着領域１４となっており、板状体２の裏面および板状体３の裏面と接着しないようになっている。当該無接着領域１４は、後に説明するように袋１１の開口部を開く際に必要となる可動域となっている。
【００１５】
図２ａは、板状体２、３に袋１１を取り付けた収納具１の側面図を表している。袋１１は、透明な２枚の矩形シートを対向させた上端以外が閉じた容器体であり、開口に近い前記無接着領域１４を除く接着領域１３において板状体２、３の内側に接着されている。
図２ｂは、収納具１（袋１１を取り付けた板状体２、３）を上から見た平面図であり、板状体２と板状体３を接合させて袋１１の開口を閉じた状体を表している。この際、板状体２の円形孔９と板状体３の円柱１０は適度な嵌合力で結合し、袋１１の開口が閉じた状態を維持するようになっている。
図２cは、収納具１を上から見た平面図であり、板状体２と板状体３の接合（円形孔９と円柱１０の嵌合）を解除して、袋１１の開口を開いた状態を表している。この際、板状体２の円形孔９と板状体３の円柱１０は嵌合が解かれている。また、袋１１の端部は、無接着領域１４が取手２と取手３の内面から離れて変形することで、ジグソーパズルの出し入れに十分な開口形状を形成するようになっている。
なお、開口部となる袋の上端縁の全長を取手２、取手３の長さよりも数ｃｍ長くすることで、当該部分を無接着領域とし、当該無接着領域を利用して袋を開口させるようにしてもよい。
【００１６】
収納具１は、図３に示した台紙１６付きのジグソーパズル１５の収納を目的として形成されたものである。ジグソーパズル１５は、矩形に形成された板状の台紙１６と、当該台紙１６上に組み合わせて配置されるパズルピース１７によって構成されている。また、台紙１６の外周縁には１〜２ｃｍ程度の幅の枠縁１８が形成されており、適正に配置されたパズルピース１７の外周を規制し、完成された図柄が崩壊するのを防止するようになっている。
当該構造のジグソーパズルは、幼児、低学年児童向けに適しており、完成、未完成に関わらず使用しない時にはすぐに片づけられ（収用具に収納し）、使用したいときには収用具から取り出してすぐに使用できることが望ましい。従って、収用具に対する出し入れが、子供にとって容易である必要がある。
【００１７】
本願発明に係る収納具１は、床面あるいは机上に載置した状態で取手２あるいは取手３の一方を持ち上げると、ジグソーパズル１５の一辺程度の長さで袋１１が開口するようになっている（開きにくい場合には、開くきっかけとして前述した差込口２０を使用する）
。この開口の形状および寸法は、板状体２、３の形状と接着領域１３と無接着領域１４の長さによって適切に調整することができる。
【００１８】
また、袋１１の開口部には、開口の長手方向に亘って凹溝と凸条の嵌合を利用したジッパー１２が一体的に形成されている。ジッパー１２を閉じる（嵌合させる）と、袋内に収容したジグソーパズル１５の脱落および袋内へのゴミ、ホコリの侵入を防止することができるようになっている。特に、商品販売前の展示状態においてはゴミ、ホコリの侵入を防止することができるので、収容したジグソーパズル１５の品質を保持することができるという効果がある。
【産業上の利用可能性】
【００１９】
本考案は、ジグソーパズルの展示、収納に適した収納具に利用可能である。
【図面の簡単な説明】
【００２０】
【図１】本願考案に係るジグソーパズル用収納具の分解斜視図である。
【図２】本願考案に係るジグソーパズル用収納具の側面および平面図である。
【図３】本願考案に係るジグソーパズル用収納具に収納されるジグソーパズルの説明図である。
【符号の説明】
【００２１】
１  収納具
２、３  板状体
４、５  開口
６、７  溝
８  凹部
９  孔
１０  円柱
１１  袋
１２  ジッパー
１３  接着領域
１４  無接着領域
１６  台紙
１５  ジグソーパズル
１７  パズルピース
１８  枠縁
【図１】
0003130317.tif 000003
【図２】
0003130317.tif 000004
【図３】
0003130317.tif 000005